(57)【要約】【課題】モジュラープラグの抜出方向に不用意な外力が金属シェルに作用しても、ハウジングからの金属シェルの外れを良好に防止できるモジュラープラグを提供する。【解決手段】モジュラージャックに嵌合されるモジュラープラグ１であって、嵌合時に上記モジュラージャックの端子である相手端子と接触する端子と、該端子を直接的もしくは間接的に保持する第一ハウジング１０および第二ハウジング２０と、第一ハウジング１０および第二ハウジング２０の少なくとも一部を覆うように第二ハウジング２０に取り付けられるとともに上記モジュラープラグ１に接続される電線に取り付けられる金属シェル４０とを備えるモジュラープラグ１において、上記金属シェル４０は、モジュラープラグ１の嵌合方向に延びる前方延出片を有し、該前方延出片は、モジュラープラグ１の抜出方向で第二ハウジング２０と係止する係止部を有している。【選択図】図１
2010262904.tif 000002
【特許請求の範囲】
【請求項１】
モジュラージャックに嵌合されるモジュラープラグであって、嵌合時に上記モジュラージャックの端子である相手端子と接触する端子と、該端子を直接的もしくは間接的に保持するハウジングと、該ハウジングの少なくとも一部を覆うように該ハウジングに取り付けられるとともに上記モジュラープラグに接続される電線に取り付けられる金属シェルとを備えるモジュラープラグにおいて、上記金属シェルは、モジュラープラグの嵌合方向に延びる腕状片を有し、該腕状片は、モジュラープラグの抜出方向でハウジングと係止する係止部を有していることを特徴とするモジュラープラグ。
【請求項２】
ハウジングは、互いに結合する第一ハウジング部材および第二ハウジング部材を有し、該第一ハウジング部材および第二ハウジング部材のうちの一方のハウジング部材は、嵌合方向での前端側に形成された基部から抜出方向に延び該抜出方向でモジュラージャックと係止するロック片を有しており、金属シェルの係止部は、上記第一ハウジング部材および第二ハウジング部材の少なくともいずれか一方と係止することとする請求項１に記載のモジュラープラグ。
【請求項３】
第一ハウジング部材および第二ハウジング部材のうちの他方のハウジング部材は、嵌合方向での前端側部分が一方のハウジング部材のロック片の基部と嵌合方向で隣接して位置しており、金属シェルの係止部は、一方のハウジング部材の上記ロック片の基部および他方のハウジング部材の上記前端側部分の少なくともいずれか一方と係止することとする請求項２に記載のモジュラープラグ。
【請求項４】
端子が取り付けられており、電線と該端子とを電気的に導通させるための回路部を有する基板をさらに有し、第一ハウジング部材および第二ハウジング部材は、上記基板を挟持することにより間接的に上記端子を保持していることとする請求項２または請求項３に記載のモジュラープラグ。
【請求項５】
金属シェルの係止部は、腕状片の嵌合方向での前端域を該腕状片の板面に対して直角な方向に屈曲して形成されていることとする請求項１ないし請求項４のいずれか一つに記載のモジュラープラグ。
【請求項６】
金属シェルの係止部は、腕状片の側端縁から突出する突起として形成されており、ハウジングに喰い込むことにより該ハウジングと係止することとする請求項１ないし請求項５のいずれか一つに記載のモジュラープラグ。
【請求項７】
モジュラージャックに嵌合されるモジュラープラグであって、嵌合時に上記モジュラージャックの端子である相手端子と接触する端子と、互いに結合する第一ハウジング部材および第二ハウジング部材を有するハウジングと、該ハウジングの少なくとも一部を覆うように該ハウジングに取り付けられるとともに上記電線に取り付けられる金属シェルとを備えるモジュラープラグにおいて、上記金属シェルは、モジュラープラグの抜出方向にて縁部で上記ハウジングと係止する係止片を有していることを特徴とするモジュラープラグ。
【請求項８】
第一ハウジング部材および第二ハウジング部材のうちの一方のハウジング部材は、嵌合方向での前端側に形成された基部から抜出方向に延び該抜出方向でモジュラージャックと係止するロック片を有していることとする請求項７に記載のモジュラープラグ。
【請求項９】
端子が取り付けられており、モジュラープラグに接続される電線と該端子とを電気的に導通させるための回路部を有する基板をさらに有し、第一ハウジング部材および第二ハウジング部材は、上記基板を挟持することにより間接的に上記端子を保持していることとする請求項７または請求項８に記載のモジュラープラグ。
【請求項１０】
金属シェルの係止片は、基板を挟持した第一ハウジング部材および第二ハウジング部材の両方を抱え込むように屈曲されて該第一ハウジング部材および第二ハウジング部材の少なくともいずれか一方に取り付けられていることとする請求項６ないし請求項９のいずれか一つに記載のモジュラープラグ。
【発明の詳細な説明】
【技術分野】
【０００１】
本発明は、モジュラージャックに嵌合されるモジュラープラグに関する。
【背景技術】
【０００２】
かかるモジュラープラグとしては、例えば、特許文献１に記載されているものが知られている。この特許文献１のモジュラープラグは、複数の電線の先端側部分を配列保持するガイドプレートと、該複数の電線にそれぞれ対応し該電線の先端側部分に接続される複数の端子と、上記電線を配列保持したガイドプレートを保持するとともに、該電線と接続された上記端子を端子取付孔にて配列保持するハウジングと、該ハウジングを覆う金属シェル（グランド板）とを有している。
【０００３】
上記金属シェルにおけるハウジングの外周を覆う部分は、該ハウジングの外面に沿って屈曲されていて、該ハウジングの端子取付孔以外の部分を全周にわたって覆っており、端縁同士が突き合わされている。該金属シェルは、電線の外被（絶縁外装）から露出した網線（シールド線）を覆う電線用金属シェル（電線用グランド板）と一体に一部材として形成されており、該電線用金属シェルは該網線に圧着されている。
【先行技術文献】
【特許文献】
【０００４】
【特許文献１】特開２００１−２６７０２３
【発明の概要】
【発明が解決しようとする課題】
【０００５】
特許文献１のモジュラープラグでは、ハウジングの外周を覆う金属シェルは、モジュラープラグの抜出方向で該ハウジングと係止する部分を有していない。したがって、該電線を把持してモジュラープラグの抜出しを行うと、電線に対して好ましくない力が作用する。該電線には電線用金属シェルが圧着されているので、上記金属シェルは上記電線に作用する力によりハウジングから外れるおそれがあった。
【０００６】
このような事情に鑑みて、本発明は、モジュラープラグの抜出方向に不用意な外力が金属シェルに作用しても、ハウジングからの金属シェルの外れを良好に防止できるモジュラープラグを提供することを目的とする。
【課題を解決するための手段】
【０００７】
＜第一発明＞
第一発明に係るモジュラープラグは、モジュラージャックに嵌合されるモジュラープラグであって、嵌合時に上記モジュラージャックの端子である相手端子と接触する端子と、該端子を直接的もしくは間接的に保持するハウジングと、該ハウジングの少なくとも一部を覆うように該ハウジングに取り付けられるとともに上記モジュラープラグに接続される電線に取り付けられる金属シェルと、を備えている。
【０００８】
かかるモジュラープラグにおいて、本発明は、上記金属シェルがモジュラープラグの嵌合方向に延びる腕状片を有し、該腕状片がモジュラープラグの抜出方向でハウジングと係止する係止部を有していることを特徴としている。
【０００９】
本発明では、モジュラープラグの抜出方向でハウジングと係止する係止部が金属シェルに設けられている。したがって、電線に対して作用した上記抜出方向での不用意な外力が金属シェルに伝達されても、該金属シェルの係止部が該抜出方向でハウジングに係止しているので、該金属シェルはハウジングから外れにくい。
【００１０】
本発明において、ハウジングが、互いに結合する第一ハウジング部材および第二ハウジング部材を有し、該第一ハウジング部材および第二ハウジング部材のうちの一方のハウジング部材が、嵌合方向での前端側に形成された基部から抜出方向に延び該抜出方向でモジュラージャックと係止するロック片を有している場合には、金属シェルの係止部は、上記第一ハウジング部材および第二ハウジング部材の少なくともいずれか一方と係止することが好ましい。
【００１１】
これによって、金属シェルのハウジングからの外れを良好に防止できる。このとき、上記第一ハウジングと第二ハウジングとは互いに結合して一体化されているので、係止部とハウジングとの係止は、金属シェルの係止部は上記第一ハウジングおよび第二ハウジングの少なくとも一方と係止させれば済む。
【００１２】
本発明において、第一ハウジング部材および第二ハウジング部材のうちの他方のハウジング部材が、嵌合方向での前端側部分が一方のハウジング部材のロック片の基部と嵌合方向で隣接して位置しているときには、金属シェルの係止部は、一方のハウジング部材の上記ロック片の基部および他方のハウジング部材の上記前端側部分の少なくともいずれか一方と係止することが好ましい。
【００１３】
本発明において、端子が取り付けられており、電線と該端子とを電気的に導通させるための回路部を有する基板をさらに有しているときには、第一ハウジング部材および第二ハウジング部材は、上記基板を挟持することにより間接的に上記端子を保持していることが好ましい。
【００１４】
本発明において、金属シェルの係止部の一形態として、該係止部は、腕状片の嵌合方向での前端域を該腕状片の板面に対して直角な方向に屈曲して形成されていてもよい。この形態では、該係止部は、ハウジングと板面で当接して係止する。したがって、係止面積を大きく確保できるので、金属シェルに大きい外力が作用しても該金属シェルが外れにくくすることができる。
【００１５】
また、本発明において、金属シェルの係止部の一形態として、該係止部は、腕状片の側端縁から突出する突起として形成されており、ハウジングに喰い込むことにより該ハウジングと係止してもよい。この形態では、係止部がハウジングに喰い込んで係止するので係止力が大きくなる。したがって、係止力が大きい分、金属シェルに大きい外力が作用しても該金属シェルが外れにくくすることができる。
【００１６】
＜第二発明＞
第二発明に係るモジュラープラグは、モジュラージャックに嵌合されるモジュラープラグであって、嵌合時に上記モジュラージャックの端子である相手端子と接触する端子と、互いに結合する第一ハウジング部材および第二ハウジング部材を有するハウジングと、該ハウジングの少なくとも一部を覆うように該ハウジングに取り付けられるとともに上記電線に取り付けられる金属シェルとを備えている。
【００１７】
かかるモジュラープラグにおいて、本発明では、上記金属シェルが、モジュラープラグの抜出方向にて縁部で上記ハウジングと係止する係止片を有していることを特徴としている。
【００１８】
本発明では、モジュラープラグの抜出方向でハウジングと係止する係止部が金属シェルに設けられている。したがって、電線に対して作用した上記抜出方向での不用意な外力が金属シェルに伝達されても、第一発明と同様に、該金属シェルの係止部が該抜出方向でハウジングに係止しているので、該金属シェルはハウジングから外れにくい。
【００１９】
また、本発明では、係止片は、ハウジングと縁部の端面で係止する。したがって、該係止片の端面の面積は小さいが、該係止片は板面に平行な方向で力を受けるので該係止片は変形しにくい。
【００２０】
本発明において、第一ハウジング部材および第二ハウジング部材のうちの一方のハウジング部材は、嵌合方向での前端側に形成された基部から抜出方向に延び該抜出方向でモジュラージャックと係止するロック片を有していてもよい。
【００２１】
本発明において、端子が取り付けられており、モジュラープラグに接続される電線と該端子とを電気的に導通させるための回路部を有する基板をさらに有しているときには、第一ハウジング部材および第二ハウジング部材は、上記基板を挟持することにより間接的に上記端子を保持していることが好ましい。
【００２２】
本発明において、金属シェルの係止片は、基板を挟持した第一ハウジング部材および第二ハウジング部材の両方を抱え込むように屈曲されて該第一ハウジング部材および第二ハウジング部材の少なくともいずれか一方に取り付けられていることが好ましい。
【００２３】
かかる形態の係止片は、第一ハウジングおよび第二ハウジングの少なくとも一方と係止するとともに、該第一ハウジングおよび第二ハウジングの少なくとも一方に取り付けられるので、第一ハウジングおよび第二ハウジングの少なくとも一方への取付けのための部分を、上記係止片に加えて金属シェルに別途形成する必要がなくなる。この結果、金属シェル、ひいてはモジュラープラグの小型化が可能となる。
【発明の効果】
【００２４】
以上のように、本発明では、モジュラープラグの抜出方向でハウジングと係止する係止部を金属シェルに設けたので、該抜出方向での不用意な外力が電線に作用してもハウジングからの金属シェルの外れを良好に防止できる。また、ハウジングと縁部で係止する係止片を金属シェルに設けた場合、該係止部は変形しにくいので、その分、金属シェルが大きな外力を受けてもハウジングから該金属シェルが外れにくくすることができる。
【図面の簡単な説明】
【００２５】
【図１】実施形態に係るモジュラープラグの斜視図であり、（Ａ）は斜上方から見た図、（Ｂ）は（Ａ）に示されるモジュラープラグを上下反転させた図である。
【図２】モジュラープラグの組立工程を示す図である。
【図３】図１（Ａ）のモジュラープラグの断面図であり、（Ａ）はIIIA−IIIA断面図、（Ｂ）はIIIB−IIIB断面図、（Ｃ）はIIIC−IIIC断面図である。
【図４（Ａ）】図１（Ａ）のモジュラープラグのIVA−IVA断面図である。
【図４（Ｂ）】図１（Ａ）のモジュラープラグとモジュラージャックとの嵌合状態を示す断面図である。
【図５】第二実施形態に係る金属シェルの斜視図である。
【図６】第三実施形態に係る金属シェルの斜視図である。
【図７】第四実施形態に係る金属シェルの斜視図である。
【図８】第五実施形態に係る金属シェルの斜視図である。
【発明を実施するための形態】
【００２６】
以下、添付図面にもとづき、本発明の実施形態を説明する。
【００２７】
＜第一実施形態＞
図１は、本実施形態に係るモジュラープラグの斜視図であり、（Ａ）は上方から見た図、（Ｂ）は（Ａ）に示されるモジュラープラグを上下反転させた図である。本実施形態に係るモジュラープラグ１は、複数の電線（図示せず）が接続された状態でモジュラージャック（図示せず）へ前端から、すなわち図１（Ａ）における左端から挿入されて該モジュラージャックと嵌合する。上記電線は、金属製の心線が合成樹脂製の外被で覆われて形成されている。上記複数の電線は、上下二段で配列されるとともに、各段において上記モジュラープラグ１の幅方向で配列されて該モジュラープラグ１と接続される。該電線は、複数本が束ねられた状態で網線状のシールド線（図示せず）で覆われ、さらに該シールド線が外被（図示せず）で覆われて一本のケーブル（図示せず）をなしている。
【００２８】
該モジュラープラグ１は、互いに組み立てられて結合されハウジング本体を形成する第一ハウジング１０および第二ハウジング２０と、図１（Ａ）の下方から該第二ハウジング２０に取り付けられる電線保持部材３０と、図１（Ａ）の上方から該第二ハウジング２０に取り付けられ上記ハウジング本体を覆う金属シェル４０と、第一ハウジング１０と第二ハウジング２０との間で挟持される後述の基板と、該基板に取り付けられる後述の金属製の複数の端子とを有している。
【００２９】
図２は、モジュラープラグ１の組立工程を示す図である。同図では、第一ハウジング１０と、端子が取り付けられた基板を支持する第二ハウジング２０と、金属シェル４０とに分解された状態が示されており、電線保持部材３０の図示は省略されている。同図においては、左方へ向かう方向がモジュラージャックに対するモジュラープラグ１の嵌合方向の前方である。図３（Ａ）は、図１（Ａ）のモジュラープラグ１のIIIA−IIIA断面図であり、前後方向における後述の係止片の位置での断面を示す。図３（Ｂ）は、モジュラープラグ１のIIIB−IIIB断面図であり、前後方向における後述の没入被係止部の位置での断面を示す。図３（Ｃ）は、モジュラープラグ１のIIIC−IIIC断面図であり、前後方向における後述の被把持部の位置での断面を示している。また、図４（Ａ）は、図１（Ａ）のモジュラープラグ１のIVA−IVA断面図であり、該モジュラージャックの幅方向中間部での後述する板状端子の板面位置での断面を示している。図４（Ｂ）は、図１（Ａ）のモジュラープラグ１がモジュラージャックと嵌合した状態の断面図であり、図４（Ａ）と同位置での断面が示されている。
【００３０】
第一ハウジング１０は、電気絶縁体で作られていて、図２に示されるように、前後方向（図２における左右方向）に延び略長方形の水平な板面をもつ板状部１１を有している。該板状部１１は、後端側部分がその前方の他の部分の幅（板状部１１の短手方向の寸法）よりも幅が狭い幅狭部１１Ａとして形成されている。前後方向に延びる該板状部１１の両側縁からは、前後方向中央部よりやや前方寄りの位置にて下方へ向けて脚状の軸規制部１２が延びている。該軸規制部１２は第一ハウジング１０の幅方向に直角な板面をもつ板片状をなしている。該軸規制部１２は、後述するように、電線保持部材３０の軸部の後方への移動を規制するための部分である。
【００３１】
板状部１１の両側縁の前後方向中間位置、すなわち上記軸規制部１２よりも後方位置には、該側縁から下方へ向けて板状の係止片１３が延びている。該係止片１３は該軸規制部１２よりも上下方向の長さが短くなっている。該係止片１３は、上記軸規制部１２と同様に板状部１１の幅方向に直角な板面を有して該幅方向での弾性撓みが可能となっており、該幅方向外方側の板面の下端には、前後方向に延びるとともに上記幅方向外方へ突出する係止爪部１３Ａを有している。
【００３２】
板状部１１の幅狭部１１Ａの両側縁からは下方ヘ向けて板状の後方係止片１４が延びている。該後方係止片１４は上記係止片１３よりも上下方向の長さが短くなっている。該後方係止片１４は、軸規制部１２および係止片１３と同様に板状部１１の幅方向に直角な板面を有して上記幅方向での弾性撓みが可能となっており、該幅方向外方側の板面の下端には、前後方向に延びるとともに上記幅方向外方へ突出する後方係止爪部１４Ａを有している。
【００３３】
板状部１１の上面における前端位置からは後方へ向けて斜め上方に延びる可撓なロック片１５が設けられている。該ロック片１５の基部１５Ａ、すなわち該ロック片１５と板状部１１とが連結している部分には、前後方向に貫通する第一スリット１５Ａ−１が形成されている。該第一スリット１５Ａ−１は幅方向で細長い形状をなしており、後述の金属シェル４０の前方延出片が挿通可能となっている。上記ロック片の長手方向、すなわち前後方向における後方側部分は前方側部分よりも細くなっており、モジュラージャック１の抜出の際に下方への押圧操作を受ける操作部１５Ｂとして形成されている。上記前方側部分から操作部１５Ｂへの移行部分には幅方向両端に段部１５Ｃが形成されており、モジュラープラグ１とモジュラージャックとの嵌合時において該段部１５Ｃの後面がモジュラージャックの対応面と嵌合方向で係止し合うようになっている。また、該ロック片１５の前後方向中間位置における幅方向両端側部分の上面は、被押圧部１５Ｄとして形成されている。モジュラープラグ１をモジュラージャックへ嵌合させる途中において、該モジュラージャックに設けられた押圧部によって、上記被押圧部１５Ｄが下方へ押圧されてロック片１５は下方へ弾性変位するようになっている。
【００３４】
第二ハウジング２０は、前後方向に延びた形状をなしており、図２には、該第二ハウジング２０が基板５０を支持している状態が示されている。ここでは、第二ハウジング２０の構成の説明に先立って、基板５０および該基板５０に取り付けられる板状端子６０および圧接端子７０の構成を説明する。
【００３５】
図４（Ａ），（Ｂ）によく見られるように、基板５０は、モジュラープラグ１の嵌合方向に延びており、モジュラージャックの端子である相手端子と接触する複数の板状端子６０が該前方寄り位置で下面に取り付けられているとともに、電線（図示せず）に圧接されて接続される複数の圧接端子７０が後方寄り位置で下方に延びるようにして上記基板５０の下面に取り付けられる。図２に示されるように、該基板５０の前端域には、板状端子６０を取り付けるための複数の板状端子取付孔５１が該基板５０の幅方向で千鳥状に形成されている。また、図２に示されるように、該基板５０の後端域には、圧接端子７０を取り付けるための複数の圧接端子取付孔５２が基板５０の幅方向で二列に形成されており、各列は該幅方向で千鳥状に配されている。
【００３６】
また、基板５０は、前後方向における板状端子取付孔５１と圧接端子取付孔５２との間で該前後方向に延びる回路部（図示せず）が該基板５０の内部に内層をなして設けられている。該回路部によって、板状端子６０と該板状端子６０にそれぞれ対応する圧接端子７０とが電気的に導通されている。
【００３７】
図２に示されているように、基板５０の両側縁部には前後方向中間位置で切り欠かれた切欠部５３が形成されている。該切欠部５３は、第二ハウジング２０の凹部２１に基板５０を収容したとき、該第二ハウジング２０の孔部２２の直上に位置する。この第二ハウジング２０についての詳細は後述する。該切欠部５３は、後述するように、モジュラープラグ１の組立ての際に第一ハウジング１０の軸規制部１２および係止片１３の上方からの進入を許容する。
【００３８】
板状端子６０は、金属板を打ち抜いて成形されており、図４（Ａ）によく見られるように、板面が略長方形状の接触部６１の上縁から上方へ向けて接続部６２が延びた形状をなしている。複数の該板状端子６０は、板面が基板５０の幅方向に対して直角となる姿勢で千鳥状に前後にずれて配列されており、該基板５０の板状端子取付孔５１に接続部６２が下方から挿入され、該接続部６２が該基板５０の上面側で該基板５０と半田接続されている。
【００３９】
図４（Ａ），（Ｂ）に示されているように、後方に配された上記圧接端子７０は、基板の幅方向で二列に配列され、前列（同図にて左方側の列）に配される圧接端子７１および後列（同図にて右方側の列）に配される圧接端子７２の二種の圧接端子から成っている。該圧接端子７１および圧接端子７２は基本的な形状は同じであるが上下方向での長さが異なっており、前列の圧接端子７１は後列の圧接端子７２よりも長い寸法で形成されている。該圧接端子７１，７２は、金属板を打ち抜いて形成されており、図４（Ａ）に示されているように、上下方向に延びる二つの接触部７１Ａ，７２Ａが上端にて互いに連結されている。この連結部分には、上方へ延びて接続部７１Ｂ，７２Ｂが形成されている。該圧接端子７１，７２は、板面が前後方向に対して直角をなし、千鳥状に前後にずれて配されており、基板５０の圧接端子保持孔５２に上記接続部７１Ｂ，７２Ｂが下方から挿入され、該接続部７１Ｂ，７２Ｂが該基板５０の上面側で該基板５０と半田接続されている。
【００４０】
第二ハウジング２０の説明に戻る。該第二ハウジング２０は、図２そして図４（Ａ），（Ｂ）に示されているように、前後方向に延びた形状をなしており、図４（Ａ），（Ｂ）に見られるように、基板５０および第一ハウジング１０を収容するための凹部２１が上面に形成されている。該凹部２１は、底部側で基板５０を収容するとともに、該基板５０の上に第一ハウジング１０の板状部１１を収容するのに適した形状となっている。
【００４１】
第二ハウジング２０の前後方向での中間位置には、図３（Ａ）に示されているように、凹部２１内の両側縁寄り位置にて上下方向に貫通する孔部２２を有している。該孔部２２は、前後方向（図３（Ａ）の紙面に直角な方向）に延びる幅狭な形状をなしており、凹部２１に収容された基板５０の切欠部５３と前後方向そして幅方向で対応して位置している。また、後述するように、該孔部２２は、モジュラープラグ１の組立ての際に、第一ハウジング１０の軸規制部１２および係止片１３の上方からの進入を許容する。また、該孔部２２を形成する内壁面には、係止片１３の係止爪部１３Ａと上下方向で係止するための被係止部２２Ａが第二ハウジング２０の幅方向（図３（Ａ）における左右方向）内方へ突出して形成されている。
【００４２】
図２に見られるように、第二ハウジング２０の凹部２１の後方側部分は第一ハウジング１０の板状部１１の幅狭部１１Ａと適合した形状をなしており、該後方側部分の両側縁寄り位置には図３（Ｃ）に示されるように、上下方向に貫通する後方孔部２３が形成されている。後述するように、該後方孔部２３は、モジュラープラグ１の組立ての際に、第一ハウジング１０の後方係止片１４の進入を許容する。また、該後方孔部２３を形成する内壁面には、後方係止片１４の後方係止爪部１４Ａと上下方向で係止するための後方被係止部２３Ａが第二ハウジング２０の幅方向（図３（Ｃ）における左右方向）内方へ突出して形成されている。
【００４３】
また、第二ハウジング２０の上記後方側部分は、前後方向にて上記後方被係止部２３Ａとほぼ同位置で、図３（Ｃ）に示されているように端子配列方向外方へ突出する被取付部２４が形成されている（図２をも参照）。該被取付部２４は、後述するように、コネクタ組立時において、電線保持部材３０の取付片と係止する。
【００４４】
図２に見られるように、第二ハウジング２０の前端部の上縁には該第二ハウジング２０の幅方向中央位置に略直方体形状の頭部２５が形成されており、該頭部２５には、図４（Ａ）によく見られるように、前後方向に貫通する第二スリット２５Ａが形成されている。該第二スリット２５Ａは上記幅方向において、第一ハウジング１０の第一スリット１５Ａ−１と同寸法で細長い形状をなしており、後述の金属シェル４０の前方延出片が挿通可能となっている。該第二スリット２５Ａは、第二ハウジング２０に第一ハウジング１０が取り付けられた状態において、該第一ハウジング１０の第一スリット１５Ａ−１と開口部の位置が一致し、該第一スリット１５Ａ−１と相俟って前後に連通する一つのスリットを形成し、後述の金属シェル４０の上記前方延出片の挿通を許容する。
【００４５】
図４（Ａ），（Ｂ）に見られるように、上記第二ハウジング２０は、前端側部分にて板状端子６０を収容するための板状端子収容溝２６を該板状端子６０に対応する位置に有している。図１（Ｂ）に示されているように、複数の板状端子収容溝２６は第二ハウジング２０の前方および下方（図１（Ｂ）における上方）に開放された櫛歯状部分の溝部として形成されている。
【００４６】
第二ハウジング２０は、図４（Ａ）によく見られるように、後端寄り位置において、後列の圧接端子７２が配される領域の下面が前列の圧接端子７１が配される領域の下面よりも上方に位置している。圧接端子７１が配される領域には該圧接端子７１の挿通を許容する圧接端子圧入孔２７Ａを有しており、その後方位置で圧接端子７２が配される領域には該圧接端子７２の挿通を許容する圧接端子圧入孔２７Ｂを有している。図４（Ａ）に示されているように、複数の圧接端子圧入孔２７Ａ，２７Ｂは、第二ハウジング２０を上下方向に貫通している。圧接端子７１，７２が圧接端子圧入孔２７Ａ，２７Ｂで圧入保持されている状態において、該圧接端子７１，７２の下端側部分は該圧接端子圧入孔２７Ａ，２７Ｂから突出する。
【００４７】
第二ハウジング２０は、前後方向中間位置において、図２および図３（Ｂ）によく見られるように、該第二ハウジング２０の幅方向両側部の下部が該幅方向内方かつ上方へ没入しており、この没入した空間は、後述する金属シェル４０の屈曲係止部を受け入れる没入被係止部２８として形成されている。該没入被係止部２８を形成する内壁面のうち上側の面は金属シェル４０の屈曲係止部が取り付けられる被取付面２８Ａとして形成されており、前後方向に対して直角をなす後方側の面は上記屈曲係止部の後端縁と前後方向で係止する被係止面２８Ｂとして形成されている。また、該第二ハウジング２０は、後端部分における両側部が、後述する金属シェル４０の把持部によって把持される被把持部２９として形成されている。
【００４８】
電線保持部材３０は、図１（Ａ），（Ｂ）に示されているように第二ハウジング２０の被取付部２４と後述する電線保持部材３０の取付片３３とが係止し合っている状態において、前後方向に延びる略直方体形状のブロック部３１と該ブロック部３１から前方に向けて延びる板状の延出部３２とを有している。
【００４９】
延出部３２の両側縁部の前端側には該延出部３２の幅方向外方へ突出する軸部（図示せず）が設けられている。該軸部は、軸線に直角な断面形状が円形をなしており、第二ハウジング２０の両側壁内面に形成された後方に開口した溝状の軸支持部（図示せず）によって支持されることにより、電線保持部材３０は第二ハウジング２０に回動自在な状態で取り付けられる。
【００５０】
図１（Ａ）に示されているように、ブロック部３１の後端部には、該ブロック部３１の幅方向両端部の上縁から上方へ向けて延びる取付片３３が形成されている。該取付片３３は、上記幅方向に直角な板面を有して該幅方向での弾性撓みが可能となっており、該幅方向に貫通した窓状の取付窓部３３Ａを有している。
【００５１】
図３（Ｃ）および図４（Ａ）に示されているように、該ブロック部３１は、上段に配列された電線を保持するための電線保持溝３４が上部に形成されている。該電線保持溝３４は、図３（Ｃ）によく見られるように、前後方向に直角な断面がＵ字状をなしている。該電線保持溝３４は、該電線保持溝３４の内側壁面から突出する一対の板状の保持突部３４Ａを前後方向に複数有している。電線は両側の保持突部３４Ａ同士間に圧入されることにより該電線保持溝３４内で保持される。
【００５２】
また、図３（Ｃ）および図４（Ａ）に示されるように、ブロック部３１は、下段に配列された電線を保持するための電線保持孔３５が上記電線保持溝３２の下方にて上記幅方向に複数並んで形成されている。該電線保持孔３５は、前後方向に対して直角な断面が円形をなしており、該電線保持孔３５の前端は、上記電線保持溝３４の前端よりも前方に位置している。
【００５３】
図４（Ａ）に示されているように、電線保持部材３０は、圧接端子７１，７２と対応する位置で上下方向に貫通する圧接端子挿通孔３６Ａ，３６Ｂを有している。該圧接端子挿通孔３６Ａは電線保持孔３５と連通し、圧接端子連通孔３６Ｂは電線保持溝３４および電線保持孔３５と連通している。図４（Ａ）によく見られるように、第二ハウジング２０の圧接端子圧入孔２７Ａから突出した前列の圧接端子７１の接触部７１Ａの下端側部分は圧接端子挿通孔３６Ａ内に収容され、第二ハウジング２０の圧接端子圧入孔２７Ｂから突出した後列の圧接端子７２の接触部７２Ａの下端側部分は圧接端子挿通孔３６Ｂ内に挿通される。
【００５４】
金属シェル４０は、金属板を打ち抜いた後、屈曲されることにより成形される。図２には、金属シェル４０が、モジュラープラグ１の組立時において、ハウジング本体、すなわち互いに結合した第一ハウジング１０および第二ハウジング２０に取り付けられる直前の形態で示されている。図２に示される金属シェル４０は、両側端部分が下方へ向けて直角に屈曲されることにより、上下方向に対して直角な板面を有する上板部４１と上記両側端部分からなる二つの側板部４２とが形成されている。そして、該金属シェル４０は、前後方向に見たときに上記上板部４１および二つの側板部４２によって略逆Ｕ字状をなしている。
【００５５】
上板部４１の前端縁中央部からは前方へ向けて前方延出片４３が延びている。また、該上板部４１の後端縁には電線を保持するための電線保持部４４が幅狭の連結部４５によって連結されている。該電線保持部４４は前後方向に見て逆Ｕ字状に湾曲形成されている。上板部４１の後方寄り位置には、該上板部４１を切り起こした切起部４６が形成されており、該切起部４６は前方へ向けて斜め上に延びている。該切起部４６は、モジュラープラグ１の組立後に、例えば、合成樹脂製のカバーを該モジュラープラグ１の後方側部分に取り付ける際、モジュラープラグ１と上記カバーとの位置決めに用いられる。
【００５６】
側板部４２の前端縁の下部からは前方へ向けて張出部４７が張り出している。該張出部４７の前端は上記前方延出片４３の前端よりも後方に位置している。側板部４２には、前方寄り位置において、上下方向に延びる溝が切り込まれていて、後述するようにモジュラープラグ１の抜出方向、すなわち後方で第二ハウジング２０と係止する屈曲係止部４８が形成されている。該屈曲係止部４８は、後述するように、第二ハウジング２０への金属シェル４０の取付部としても機能する。また、図２に示されているように、側板部４２は、後方寄り位置でも、切り欠かれていて、この切り欠かれた部分の後方に、金属シェル４０を第二ハウジング２０に取り付けるための把持部４９が形成されている。
【００５７】
モジュラープラグ１は、以下の順序で組み立てられる。まず、基板５０の板状端子取付孔５１に板状端子６０の被保持部６２を下方から挿入してから該被保持部６２と基板５０の回路部とを半田接続する。また、第二ハウジング２０の圧接端子圧入孔２７Ａ，２７Ｂに圧接端子７１，７２を下方から圧入する。該圧接端子７１，７２が上記圧接端子圧入孔２７Ａ，２７Ｂに圧入された状態において、該圧接端子７１，７２の上端側の接続部７１Ｂ，７２Ｂは該圧接端子圧入孔２７Ａ，２７Ｂから上方へ突出している。
【００５８】
次に、板状端子６０が半田接続された基板５０を第二ハウジング２０の凹部２１に収容する。この結果、板状端子６０が第二ハウジング２０の板状端子収容溝２６内に収容されるとともに、第二ハウジング２０の圧接端子圧入孔２７Ａ，２７Ｂから突出している圧接端子７１，７２の接続部７１Ｂ，７２Ｂが基板５０の圧接端子取付孔５２に下方から挿通される。そして、該圧接端子７１，７２の接続部７１Ｂ，７２Ｂと基板５０の回路部とを半田接続する。この半田接続により、板状端子６０と圧接端子７１，７２とが基板５０の回路部を介して電気的に導通する。
【００５９】
次に、第二ハウジング２０の溝状の軸支持部（図示せず）内に電線保持部材３０の軸部（図示せず）を後方から該軸支持部へ進入させるとともに、第一ハウジング１０を上方から第二ハウジング２０に取り付ける。第一ハウジング１０の軸規制部１２は、基板５０の切欠部５３および第二ハウジング２０の孔部２２を上方から貫通し、該軸規制部１２の下端側部分が上記電線保持部材３０の軸部の後方側で該軸部に隣接して位置する。これによって、該軸部の後方への移動が上記軸規制部１２によって規制され、該軸部が上記軸支持部によって回動自在に支持された状態が維持される。この結果、電線保持部材３０がその軸部まわりに回動自在に第二ハウジング２０へ取り付けられる。
【００６０】
また、第二ハウジング２０への第一ハウジング１０の取付時において、第一ハウジング１０の係止片１３が基板５０の切欠部５３を経て第二ハウジング２０の孔部２２内に進入する。図３（Ａ）に示されているように、第一ハウジング１０の係止片１３の係止爪部１３Ａが第二ハウジング２０の被係止部２２Ａと上下方向で係止する。
【００６１】
また、第一ハウジング１４の後方係止片１４が、第二ハウジング２０の後方孔部２３に進入し、図３（Ｃ）に示されているように、該後方係止片１４Ａの後方係止爪部１４Ａが後方被係止部２３Ａと上下方向で係止する。このように、第一ハウジング１０の係止爪部１３Ａおよび後方係止爪部１４Ａと第二ハウジング２０の被係止部２２Ａおよび後方被係止部２３Ａとがそれぞれ係止し合うことにより、第二ハウジング２０への第一ハウジング１０の取付けが完了する。その結果、第一ハウジング１０および第二ハウジング２０は、基板５０を挟持することにより、該基板５０に取り付けられた板状端子６０および圧接端子７１，７２を間接的に保持する。
【００６２】
第一ハウジング１０の取付けが完了した状態において、第一ハウジング１０のロック片１５の基部１５Ａの前面と第二ハウジング２０のブロック部２５の後面とが接面するとともに、該第一ハウジング１０の第一スリット１５Ａ−１の位置と第二ハウジング２０の第二スリット２５Ａの位置とが端子配列方向および上下方向で一致する。したがって、上記第一スリット１５Ａ−１および第二スリット２５Ａが前後方向に貫通する一つのスリットを形成する。
【００６３】
次に、金属シェル４０を第一ハウジング１０および第二ハウジング２０に取り付ける。具体的には、まず、第一ハウジング１０、第二ハウジング２０の後方から金属シェル４０を前方へ向けて移動させる。該金属シェル４０は、上板部４１が第一ハウジング１０の板状部１１の上面の上を前方へスライドするように移動し、金属シェルの前方延出片４３が第一ハウジング１０の第一スリット１５Ａ−１そして第二ハウジング２０の第二スリット２５Ａに挿通される。金属シェル４０のスライド移動は、第一ハウジング１０の板状部１１の前方側部分の上面に形成された段部１１Ｂの後端面に上板部４１の幅方向両端側位置の前端縁が当接するとともに第二ハウジングの前方側部分の側面に形成された段部２５Ｂの後端面に側板部４２の前端縁が当接するまでなされる。該金属シェル４０のスライド移動完了時において、該前方延出片４３の前端域が上記第二スリット２５Ａから前方へ突出するとともに、該金属シェル４０の屈曲係止部４８および把持部４９が第二ハウジング２０の没入被係止部２８および被把持部２９との前後方向での位置がそれぞれ一致する。
【００６４】
次に、金属シェル４０の前方延出片４３の前端域、すなわち第二ハウジング２０の第二スリット２５Ａから前方へ突出した部分を、図２にて二点鎖線で示すように、下方へ向けて直角に屈曲させる。該前方延出片４３の前端域を屈曲した部分は第二ハウジング２０の頭部２５の前面と前後方向で係止する前方係止部４３Ａ（図２にて二点鎖線で図示）として形成される。
【００６５】
また、屈曲係止部４８および把持部４９を、第一ハウジング１０および第二ハウジング２０の両方を抱え込むように、すなわち、該第一ハウジング１０および第二ハウジング２０の幅方向内方へ向けて屈曲する。この結果、屈曲係止部４８の下端側部分がその板面で第二ハウジング２０の被取付面２８Ａに当接することにより該屈曲係止部４８が該被取付面２８Ａを下面とする部分を把持し（図３（Ｂ）参照）、また、把持部４９は第二ハウジング２０の被把持部２９を把持する。これによって、第一ハウジング１０および第二ハウジング２０が基板５０を挟持した状態が安定的に維持される。屈曲係止部４８の後端縁はその板厚面で第二ハウジング２０の被係止面２８Ｂと前後方向で係止する。以上の工程により、モジュラープラグ１の組立てが完了する。
【００６６】
続いて、モジュラープラグ１に電線を接続する工程について説明する。まず、電線を電線保持部材３０に保持させる。具体的には、第二ハウジング２０に対して回動自在に取り付けられた電線保持部材３０を該第二ハウジング２０から離れたような開位置の状態とし、かかる状態で、該電線保持部材３０の上段側の電線保持溝３４内に電線を圧入するとともに下段側の電線保持孔３５に電線を挿通させる。
【００６７】
次に、電線保持部材３０が電線を保持した状態で、該電線保持部材３０の軸部を回動中心として該電線保持部材３０を第二ハウジング２０に向けて閉位置へ回動させる。この結果、図３（Ｃ）に示されているように、電線保持部材３０の取付片３３の取付窓部３３Ａ内に第二ハウジング２０の被取付部２４が進入して、該取付窓部３１Ａと被取付部２４とが上下方向で係止し合うことにより、電線保持部材３０が第二ハウジング２０に対して固定される。
【００６８】
また、第二ハウジング２０への電線保持部材３０の取付時に、電線保持溝３４および電線保持孔３５内に圧接端子７１，７２の下端側部分、すなわち接触部７１Ａ，７２Ａが進入し、該圧接端子７１，７２が電線に圧接される。この結果、圧接端子７１，７２の一対の接触部７１Ａ，７２Ａの間に電線が進入するとともに該接触部７１Ａ，７２Ａが電線の被覆に喰い込み、電線の心線が該接触部７１Ａ，７２Ａと接触して電気的に導通する。したがって、上記電線保持部材３０の取付けによって、脚状端子７１，７２および基板の回路部を介して、電線と板状端子６０とが電気的に導通可能な状態となる。
【００６９】
また、電線保持部４４には、ケーブルの外被を剥いて露出させたシールド線（図示せず）が逆Ｕ字状部分の開口部から進入する。そして、電線保持部４４をシールド線に対してかしめることにより金属シェル４０がケーブルを保持するとともに該シールド線と電気的に接続される。以上の工程によって、モジュラープラグ１への電線の接続が完了する。
【００７０】
本実施形態に示されるモジュラープラグ１と嵌合するモジュラージャック２は、図４（Ｂ）に示されるように、モジュラープラグ１の板状端子６０と接触する複数の相手端子８０と、電気絶縁材で作られ該複数の相手端子８０を配列保持するハウジング９０と、該ハウジング９０を覆うように該ハウジング９０に取り付けられる金属シェル１００とを有している。
【００７１】
相手端子８０は、形状が若干異なる二種の端子から成るが、基本的な構成は同じであるので、本実施形態では、一種の端子のみについて説明し、他種の端子の説明は省略する。相手端子８０は金属板を打抜いて得られた細条片がその板厚方向に屈曲されて形成されている。図４（Ｂ）に示されているように、該相手端子８０は、水平方向に延びハウジング９０によって保持される被保持部８１と、該被保持部８１の右端からモジュラープラグ１の嵌合方向前方（左方）へ向けて斜め上方に延びる可撓な接触部８２と、被保持部８１の左端から下方へ延びる接続部８３とを有している。このような構成の複数の相手端子８０は、モジュラープラグ１の板状端子６０に対応して紙面に直角な方向に配列されており、接触部８２が上下方向で弾性変位可能となっている。
【００７２】
ハウジング９０は、モジュラープラグ１の前方側（左端側）部分を受け入れる受入凹部９１が嵌合方向後方（右方）に向けて開口して形成されている。該受入凹部９１はモジュラープラグ１の前方側部分に適合した形状をなしており、モジュラープラグ１の嵌合動作中において、該モジュラープラグ１のロック片１５の被押圧部１５Ｄを下方へ押圧するための押圧部（図示せず）が上側の内壁面に設けられている。また、該上側の内壁面には、モジュラープラグ１とモジュラージャック２とが嵌合した状態において、該モジュラープラグ１のロック片１５の段部１５Ｃと前後方向で係止する対応段部（図示せず）が設けられている。
【００７３】
ハウジング９０は、相手端子８０を圧入保持するための相手端子保持孔９２が上記受入凹部９１の下方で前後方向に貫通して形成されている。図４（Ｂ）に示されているように、受入凹部９１と相手端子保持孔９２とは隔壁部９３によって隔てられている。該隔壁部９３の上面は受入凹部９１の下側の内壁面となっていて、その下側の内壁面はモジュラープラグ１の嵌合方向での後方（右方）へ向けて下方に傾斜する傾斜面９３Ａとして形成されている。また、該隔壁部９３の下面は相手端子保持孔９２を形成する上側の内壁面となっている。
【００７４】
図４（Ｂ）に見られるように、上記相手端子８０がハウジング９０の相手端子保持孔９２で保持された状態において、該相手端子８０の接触部８２は、受入凹部９１内にて上記隔壁部９３の傾斜面９３Ａとの間に隙間を形成しながら左方へ延びており、自由状態において下方へ弾性変位可能となっている。また、相手端子８０の接続部８３は、モジュラージャック２の左端寄り位置にてハウジング９０の下壁部９４に形成された溝部（図示せず）内に進入しており、該下壁部９４の下方へ延出している。
【００７５】
金属シェル１００は、金属板を屈曲して成形されており、ハウジング９０の上面、側面およびモジュラープラグ１の嵌合方向前方側（図４（Ｂ）の左方側）の面を覆うようにして該ハウジング９０に取り付けられている。
【００７６】
モジュラージャック２は、以下のように組立てられる。まず、端子素材としての直状の細条片の一端側を直角に屈曲して接続部８３を形成することにより端子素材全体をＬ字形状とし、ハウジング９０の相手端子保持孔９２へ該端子素材を該端子素材の他端側から圧入する。このとき、該端子素材は、図４（Ｂ）における左方から圧入され、該端子素材の圧入は、該端子素材の他端側、すなわち右端部が相手端子保持孔９２から突出して延出するとともに、接続部８３がハウジング９０の下壁部９４の溝部内に進入するまで行われる。
【００７７】
次に、相手端子保持孔９２から突出する上記端子素材の右端側部分をハウジング９０の傾斜面９３Ａに沿って左方へ折り返すようにして屈曲して接触部８２を形成する。このとき、接触部８２と傾斜面９３Ａとの間に図４（Ｂ）に示されるような隙間が形成される程度に上記右方側部分を屈曲させる。また、ハウジング９０の上面、側面およびモジュラープラグ１の嵌合方向前方側（図４（Ｂ）の左方側）の面を覆うようにして金属シェル１００を該ハウジング９０に取り付ける。以上の工程を経てモジュラージャック２の組立てが完了する。
【００７８】
以下、図４（Ｂ）に基づいて、本実施形態に係るモジュラープラグ１とモジュラージャック２との嵌合動作について説明する。モジュラープラグ１をモジュラージャック２の受入凹部９１内へ図４（Ｂ）における右方から嵌入すると、モジュラージャック１のロック片１５の被押圧部１５Ｄがモジュラージャック２の押圧部（図示せず）によって下方へ押圧されて、該ロック片１５が下方に弾性変位する。該ロック片１５が弾性変位した状態でさらにモジュラープラグ１を受入凹部９１内へ向けて移動させ、モジュラープラグ１のロック片１５の段部がモジュラージャック２の前後方向における対応段部（図示せず）の位置を越えると、被押圧部が上記押圧部による押圧から解除され、ロック片１５が弾性変位状態から自由状態に戻る。自由状態において、モジュラープラグ１の上記段部はモジュラージャック２の上記対応段部と該モジュラープラグ１の抜出方向（右方）で係止する。この結果、モジュラープラグ１とモジュラージャック２との嵌合動作が完了する。
【００７９】
また、嵌合動作が完了した状態において、モジュラージャック２の相手端子８０の接触部８２は、モジュラープラグ１にてそれぞれ対応する板状端子６１が収容されている板状端子収容溝２６内に下方から進入し、該板状端子６１と弾性接触する。この結果、モジュラープラグ１とモジュラージャック２とが電気的に導通する。
【００８０】
本実施形態に係るモジュラープラグ１では、該モジュラープラグ１の抜出方向で第二ハウジング２０の前面と係止する前方係止部４３Ａおよび上記抜出方向で第二ハウジング２０の被係止面２８Ｂと係止する屈曲係止部４８が金属シェル４０に設けられている。したがって、電線に対して作用した上記抜出方向での不用意な外力が金属シェル４０に伝達されても、上記金属シェル４０の前方係止部４３Ａおよび屈曲係止部４８が、第二ハウジング２０の上記前面および被係止面２８Ｂとそれぞれ上記抜出方向で係止することにより、該金属シェル４０が第二ハウジング２０から外れることが良好に防止される。
【００８１】
また、本実施形態では、金属シェル４０の前方係止部４３Ａは、前方延出片４３の前端域を下方へ向け板面に対して直角な方向に屈曲されて形成されている。このように前方延出片４３を屈曲して前方係止部４３Ａを形成することにより、該前方係止部４３Ａはその板面で第二ハウジング２０の前面と当接して係止する。したがって、係止面積を大きく確保できるので、金属シェル４０に大きい外力が作用しても該金属シェル４０が第二ハウジング２０から外れることを良好に防止できる。
【００８２】
また、本実施形態では、上記屈曲係止部４８は、第二ハウジング２０の被係止面２８Ａと該屈曲係止部４８の後縁の端面で係止する。したがって、該屈曲係止部４８の端面の面積は小さいが、該屈曲係止部４８はその板厚面にて板面に平行な方向で力を受けるので該屈曲係止部４８は変形しにくい。
【００８３】
また、本実施形態では、上記屈曲係止部４８は、第一ハウジング１０および第二ハウジング２０の両方を抱え込むように屈曲されることにより、該屈曲係止部４８は第二ハウジング２０の被係止面２８Ｂと係止するとともに、第二ハウジング２０に取り付けられている。したがって、第二ハウジング２０への金属シェル４０の取付けのための部分を、上記屈曲係止部４８に加えて金属シェル４０に別途形成する必要がない。この結果、金属シェル４０ひいてはモジュラープラグ１の小型化が可能となる。
【００８４】
本実施形態では、金属シェル４０の前方係止部４３Ａおよび屈曲係止部４８は第二ハウジング２０のみと係止しており、第一ハウジング１０とはモジュラープラグ１の抜出方向で係止していない。しかし、上記第一ハウジング１０および第二ハウジング２０は、第一ハウジング１０の係止片１３および後方係止片１４が、第二ハウジング２０の被係止部２２Ａおよび後方被係止部２３Ａとそれぞれ係止して結合して一体化されている。さらに、該第一ハウジング１０および第二ハウジング２０の結合状態は、金属シェル４０が屈曲係止部４８および把持部４９によって第二ハウジング２０にしっかりと取り付けられることにより確実に維持される。したがって、金属シェル４０を第一ハウジング１０と上記抜出方向で係止させなくても、第二ハウジング２０と係止させれば済む。
【００８５】
また、上記金属シェル４０を第一ハウジング１０のみ、あるいは第一ハウジング１０および第二ハウジング２０の両方と係止させるようにしても、金属シェル４０の十分強固な固定が実現されることは言うまでもない。
【００８６】
本実施形態では、第二ハウジングの頭部が第一ハウジングのロック片の基部の前方で該基部に隣接して位置することとしたが、これに代えて、第一ハウジングに頭部を設けるとともに、第二ハウジングにロック片を設けて、該第一ハウジングの頭部が該第二ハウジングのロック片の基部の前方で該基部と隣接して位置するような形態にしてもよい。この場合、金属シェルの前方係止部は第一ハウジングの頭部の前面と係止する。
【００８７】
本実施形態では、前方に設けられた板状端子と後方に設けられた圧接端子とを結合する回路部が形成された基板を第一ハウジングおよび第二ハウジングによって挟持することにより、該第一ハウジングおよび第二ハウジングが上記板状端子および上記圧接端子を間接的に保持する形態を説明した。これに代えて、基板を設けることなく、相手端子と接触する接触部を前端側に有するとともに電線と接続される接続部を後端側に有する、前後方向に延びる複数の端子を一つのハウジングと一体成形して、ハウジングにより直接的に該端子を配列保持する形態にしてもよい。
【００８８】
以下、図５ないし図８に基づいて第二実施形態ないし第五実施形態を説明する。これらの実施形態は、金属シェルの前方延出片あるいは該前方延出片に形成された前方係止部の形態が第一実施形態と異なっている。本実施形態のモジュラープラグは第一実施形態のモジュラープラグと基本的な構成が同一であるので、ここでは、上記前方係止部の形態を中心に説明し、同一部分には同一の符号を付して説明を省略する。
【００８９】
＜第二実施形態＞
図５は、本実施形態に係るモジュラープラグの金属シェルを示す斜視図である。同図には、ハウジング本体への取付けが完了したときの形態の金属シェルが示されている。本実施形態における金属シェルは、前方延出片を上方へ屈曲させることにより前方係止部が形成されている点で、前方延出片が下方へ屈曲されて前方係止部が形成されている第一実施形態と異なる。
【００９０】
図５に示されているように、本実施形態における金属シェル４０の前方係止部４３Ａ’は、前方延出片４３の前端域を該前方延出片の板面に対して直角に上方へ屈曲して形成されている。本実施形態に係るモジュラープラグでは、上記前方係止部４３Ａ’は第二ハウジングの頭部の前面における上側領域と係止する。
【００９１】
＜第三実施形態＞
図６は、本実施形態に係るモジュラープラグの金属シェルを示す斜視図である。同図には、ハウジング本体への取付けが完了したときの形態の金属シェルが示されている。本実施形態における金属シェルは、前方延出片が屈曲されることなく、該前方延出片の両側端縁から該前方延出片の幅方向外方へ突出する突起として前方係止部が形成されている点で、前方延出片が下方へ屈曲されて前方係止部が形成されている第一実施形態と異なる。
【００９２】
図６に示されているように、本実施形態における金属シェル４０の前方係止部４３Ａ”は、前方延出片４３の両側端縁の前端寄り位置にて、該両側端縁から外方に突出する突起として形成されている。本実施形態に係るモジュラープラグでは、モジュラープラグの組立工程において、金属シェル４０を第一ハウジングおよび第二ハウジングに取り付ける際、該第一ハウジングの第一スリット内そして第二ハウジングの第二スリット内に前方延出片４３が圧入される。該金属シェル４０の取付完了時において、上記前方係止部４３Ａ”は上記第二スリットの内壁面に喰い込んで、モジュラープラグの抜出方向（図６における右方）で該第二スリットの内壁面と係止する。
【００９３】
本実施形態では、突起状の前方係止部４３Ａ”が第二スリットの内壁面に喰い込むので係止力が大きくなる。したがって、係止力が大きい分、金属シェル４０に大きい外力が作用しても該金属シェル４０が第二ハウジングから外れにくくすることができる。また、本実施形態では、前方延出片４３を上記第一そして第二スリットへ圧入するだけでよく、第一実施形態のごとく、スリットへの挿入後の屈曲加工が不要である。
【００９４】
本実施形態では、前方係止部４３Ａ”を前方延出片の前端寄り位置に設けて第二ハウジングの第二スリットの内壁面に喰い込ませることとしたが、これに代えて、該前方係止部４３Ａ”を上記前端寄り位置から若干後方寄りの位置に設けて第一ハウジングの第一スリットの内壁面に喰い込ませることとしてもよい。また、上記前端寄り位置および上記後方寄りの位置の両方に前方係止部４３Ａ”を設けて、該前方係止部４３Ａ”を上記第二スリットおよび上記第一スリットのそれぞれの内壁面に喰い込ませることにより、係止力をさらに大きくしてもよい。
【００９５】
また、第一実施形態に係る前方係止部４３Ａあるいは第二実施形態に係る前方係止部４３Ａ’とともに本実施形態に係る前方係止部４３Ａ”を前方延出片４３に設けることも可能である。
【００９６】
＜第四実施形態＞
図７は、本実施形態に係るモジュラープラグの金属シェルを示す斜視図である。同図には、ハウジング本体への取付けが完了したときの形態の金属シェルが示されている。本実施形態における金属シェルは、上板部の幅方向外方寄り位置にて該上板部の前端縁から二つの前方延出片が延出している点で、一つの前方延出片が上板部の前端中央位置にて該上板部の前端縁から延出している第一実施形態と異なる。
【００９７】
図７に示されているように、本実施形態における金属シェル４０の前方延出部４３’は上板部４１の幅方向外方寄り位置にて該上板部４１の前端縁から二つの前方延出片４３’が延出している。図７は各前方延出片４３’の前端域は該前方延出片４３’の板面に対して直角な方向に屈曲した状態を示しており、該直角に屈曲された部分が、第二ハウジングの前端面と係止する前方係止部４３’Ａとして形成されている。また、各前方延出片４３’は上板部４１の幅方向内方寄りの側端縁の前後方向中間位置において、該側端縁から上記幅方向内方へ向けて突出する突起として係止突起４３’Ｂが形成されている。
【００９８】
本実施形態では、上記二つの前方延出片４３’は、第一ハウジングのロック片の基部の上記幅方向両側位置で前方に延びており、上述の通り、屈曲された上記前方係止部４３’Ａは該幅方向両側位置にて第二ハウジングの前面と係止する。また、上記係止突起４３’Ｂは、上記基部の外面に喰い込んで該基部と係止する。本実施形態によれば、第一ハウジングの第一スリットおよび第二ハウジングの第二スリットが設けられないような場合であっても、上記前方係止部４３’Ａおよび係止突起４３’Ｂでの係止によって、金属シェル４０の外れを防止することができる。
【００９９】
第一実施形態に係る前方係止部４３Ａあるいは第二実施形態に係る前方係止部４３Ａ’とともに本実施形態に係る前方係止部４３’Ａおよび係止突起４３’Ｂを前方延出片４３’に設けることも可能である。また、必ずしも上記前方係止部４３’Ａおよび係止突起４３’Ｂの両方を設ける必要はなく、該前方係止部４３’Ａおよび係止突起４３’Ｂのいずれか一方のみを設けることとしてもよい。
【０１００】
＜第五実施形態＞
図８は、本実施形態に係るモジュラープラグの金属シェルを示す斜視図である。同図には、ハウジング本体への取付けが完了したときの形態の金属シェルが示されている。本実施形態における金属シェルは、二つの張出部の前端域が金属シェルの幅方向内方へ向けて屈曲されており、該前端域が前方係止部として形成されている点で、該張出部の前端域が屈曲されておらず、そのような前方係止部を有していない第一実施形態と異なる。
【０１０１】
図８に示されているように、本実施形態における金属シェル４０は、第一実施形態における金属シェル４０の二つの張出部４７を前方へ延ばすとともに該張出部４７の前端域を金属シェル４０の幅方向内方へ向けて屈曲した形状をなしている。該張出部４７の屈曲された前端域は前方係止部４７Ａとして形成されている。
【０１０２】
本実施形態では、前方延出部４３の前方係止部４３Ａは第一実施形態と同様に第二ハウジングの前面における幅方向中央位置の上側領域に係止する。また、上記前方係止部４７Ａは、第二ハウジングの前面における幅方向両側位置の下方領域に係止する。本実施形態では、二つの前方係止部４７Ａの面積分、第一実施形態よりも係止面積が広くなるので、金属シェル４０の外れがより確実に防止される。
【０１０３】
第二実施形態に係る前方係止部４３Ａ’、第三実施形態に係る前方係止部４３Ａ”あるいは第四実施形態に係る前方係止部４３’Ａ，４３’Ｂとともに本実施形態に係る前方係止部４７Ａを張出部４７に設けることも可能である。
【符号の説明】
【０１０４】
１  モジュラープラグ                        ４０  金属シェル
２  モジュラージャック                      ４３  前方延出片（腕状片）
１０  第一ハウジング（第一ハウジング部材）  ４３Ａ  前方係止部（係止部）
１５  ロック片                              ４８    屈曲係止部（係止部）
１５Ａ  基部                                ５０  基板
２０  第二ハウジング（第二ハウジング部材）  ６０  板状端子
【図１】
2010262904.tif 000003
【図２】
2010262904.tif 000004
【図３】
2010262904.tif 000005
【図４（Ａ）】
2010262904.tif 000006
【図４（Ｂ）】
2010262904.tif 000007
【図５】
2010262904.tif 000008
【図６】
2010262904.tif 000009
【図７】
2010262904.tif 000010
【図８】
2010262904.tif 000011